(57)【要約】      （修正有）【課題】抵抗係数が大きく、かつ安定性が良好で、重量増加を最小に抑制可能なパラシュートを提供する。【解決手段】展張時にほぼ半球状となる傘体１を備え、前記傘体は半球状の開放面を構成する傘縁部１２と、前記傘体の頂部を形成する傘頂部１１と、前記傘縁部と前記傘頂部を接続する傘中央部１３と、前記傘縁部より延長する内側方向に湾曲した傘延長部１４を備えたパラシュートであって、前記傘延長部に複数の開口１５を設け、前記傘体の中心軸に軸対称に前記傘延長部のスタビライザー１４１を形成することを特徴とする。【選択図】  図３
2007076446.tif 000002
【特許請求の範囲】
【請求項１】
展張時にほぼ半球状となる傘体を備え、前記傘体は最大直径の開放面を構成する傘縁部と、前記傘体の頂部を形成する傘頂部と、前記傘縁部と前記傘頂部を接続する傘中央部と、前記傘縁部より延長する内側方向に湾曲した傘延長部を備えたパラシュートであって、前記傘延長部に複数の開口を設け、前記傘体の中心軸に軸対称にスタビライザーを形成することを特徴とするパラシュート。
【請求項２】
前記傘体はほぼ三角形状の第１のゴアと前記ゴアの最短辺から延長する前記ゴアの三角形部分と反対方向に傾斜する台形部分を備えた第２のゴアによって形成されていることを特徴とする請求項１記載のパラシュート。
【請求項３】
３つの第１のゴアと４つの第２のゴアを接続した一単位を有することを特徴とする請求項１又は２記載のパラシュート。
【請求項４】
前記スタビライザーは前記傘体の傘頂部の頂点から傘縁部の端部（最大直径の開口面Ｄまでの）周長をＬとし、前記傘縁部から前記傘延長部の先端迄の周長をｌとしたとき、ｌ／Ｌ＝１／１０以下であることを特徴とする請求項１から３記載のいずれかのパラシュート。
【請求項５】
前記傘中央部あるいは前記傘中央部から傘縁部にかけて前記開放面方向に開口したポケットを周方向に複数設けたことを特徴とする請求項１から４記載のいずれかのパラシュート。
【請求項６】
前記ポケットは傘体の重心の円周位置付近に設けられていることを特徴とする請求項５記載のパラシュート。
【請求項７】
前記ポケットの開口部と前記傘頂部の頂点の傘体の周長ｌ’は、傘体の傘頂部の頂点と傘縁部の端部までの傘体の周長をＬとしたとき、０．６Ｌ〜０．８５Ｌであることを特徴とする請求項５または６記載のパラシュート。
【請求項８】
前記ポケットは単数のゴアに形成される１ゴアのポケットと、２つのゴアにわたって設けられる２ゴアポケットを有し、前記１ゴアポケットと２ゴアポケットが交互に形成されていることを特徴とする請求項２から７記載のいずれかのパラシュート。
【請求項９】
前記ポケットは単数のゴアに形成される１ゴアのポケットで形成されていることを特徴とする請求項２から７記載のいずれかのパラシュート。
【請求項１０】
前記傘縁部に空気透過率が小さな傘布、前記傘中央部に空気透過率が大きな傘布、前記傘頂部に前記傘縁部及び前記傘中央部の中間の空気透過率の傘布を使用することを特徴とする請求項１から９記載のいずれかのパラシュート。
【請求項１１】
前記傘縁部：傘中央部：傘頂部の面積比は、５０〜７０％：１０〜４０％：１０〜３０％であることを特徴とする請求項１０記載のパラシュート。
【請求項１２】
前記傘頂部の空気透過率を１としたとき、傘中央部は１．４〜１．６、傘縁部は０〜０．２であることを特徴とする請求項１０または１１記載のパラシュート。
【発明の詳細な説明】
【技術分野】
【０００１】
本発明はパラシュート、更に詳細には安定して降下可能なパラシュートに関する。
【背景技術】
【０００２】
扁平なほぼ半球状の傘体１で構成されるパラシュートは、抵抗係数が大きいので、落下物をある速度以下で降下させるために要するパラシュート面積が小さくてすみ、飛行体あるいは飛行体から落下される落下物を降下させるために広く使用されている。
【０００３】
このようなパラシュートは、図５に示すようにほぼ半球状の傘体１の頂上部をなす傘頂部１１と最大直径Ｄの開放面を形成する傘縁部１２とこの傘頂部１１と傘縁部を接続する傘中央部１３からなっている。さらに、ある種のパラシュートでは、この傘縁部１２から延長し、内側方向に湾曲した傘延長部１４を有している。そして減速降下させる降下者あるいは吊下物２を支持する吊索３が前記傘縁部１２あるいは前記傘延長部１４に連結した構造になっている。
【０００４】
パラシュートは、展張して降下する際、前記傘体１の傘縁部１２付近に流れの剥離を生じ、これにより渦を伴った不規則な流れ（後流）を生じる（図５参照）。そしてこの後流領域と傘体１の距離が小さいため、後流領域からの圧力抵抗が傘体１に及ぼされ、パラシュートの降下中に揺動が生じ、安定して降下しにくいという欠点がある。前述のような傘延長部１４は、半球状の傘体１から下半球部分に延長した部分であり、前述のようなパラシュートの揺動を抑制し、パラシュートの安定した降下に寄与せしめるために形成されたものである。
【０００５】
しかしながら、前記傘延長部１４は、傘頂部１１から傘縁部１２の周長Ｌに対し１０％以下程度しか延長できないという欠点がある。前記傘延長部１４を長くすれば、安定性は向上するが、開傘性を損ない、かつ重量が著しく増加することになるからである。したがって傘体１の揺度を±１５度程度にしか抑制できず、しかも、重量が増加するという欠点があった。
【０００６】
上記欠点を除去するため、図６に示すように、半球状の傘体１の傘縁部１２あるいは傘延長部１４にスリット４を設けて、空気を外側方向に噴射させて圧力抵抗を減少させ（図６（ｂ）の矢印参照）、揺動を抑制し、姿勢を安定させることが行われている（特許第２７４３１７１号）。
【０００７】
一般に、パラシュートの安定性を向上させるためには、パラシュートの抵抗係数を小さくすることによって達成可能であるが、抵抗係数が小さくなれば、降下速度が大きくなるため、傘体１を大型にする必要がある。しかしながら、パラシュートの収納容積は限られており、一概に大型にすることはできない。すなわち、抵抗係数が大きく、かつ安定性の良好なパラシュートが希求されている。
【０００８】
前述の特許第２７４３１７１号のパラシュートは、スリット４を設けてあるため、抵抗係数は小さくなり、パラシュートの安定性は向上すると考えられる。しかしながら、実際には、このパラシュートは傘体１の迅速な開傘には効果的ではあるが、安定性にはあまり寄与していないことが明らかになった。
【特許文献１】特許第２７４３１７１号公報
【特許文献２】特開２００２−１２７９９号公報
【発明の開示】
【発明が解決しようとする課題】
【０００９】
本発明は上述のような課題を解決すること、すなわち抵抗係数が大きく、かつ安定性が良好で、重量増加を最小に抑制可能なパラシュートを提供することを目的とする。
【課題を解決するための手段】
【００１０】
上記課題を解決するため、本発明によるパラシュートは、展張時にほぼ半球状となる傘体を備え、前記傘体は半球状の開放面を構成する傘縁部と、前記傘体の頂部を形成する傘頂部と、前記傘縁部と前記傘頂部を接続する傘中央部と、前記傘縁部より延長する内側方向に湾曲した傘延長部を備えたパラシュートであって、前記傘延長部に複数の開口を設け、前記傘体の中心軸に軸対称に前記傘延長部のスタビライザーを形成することを特徴とする。
【発明の効果】
【００１１】
本発明によれば、傘延長部に前記傘体の中心軸に軸対称に複数の開口を設けたため、前記パラシュートが揺動し、傾斜したとき、前記開口から浸入した空気が前記傘延長部に当り、前記傾斜を修正するような方向に抗力を負荷することになる。このため、パラシュートの揺動が抑制され、安定して降下可能になる。しかも、前記開口は開傘性を向上させる作用もあり、良好なパラシュートとなる。
【発明を実施するための最良の形態】
【００１２】
本発明による好ましい形態においては、前記傘体はほぼ三角形状の第１のゴアと前記ゴアの最短辺から延長する前記ゴアの三角形部分と反対方向に傾斜する台形部分を備えた第２のゴアによって形成されていることを特徴とする。
【００１３】
また、好ましい他の形態においては、３つの第１のゴアと４つの第２のゴアを接続した一単位を有することを特徴とする。
【００１４】
さらに、前記スタビライザーは前記傘体の傘頂部の頂点から傘縁部の端部（最大直径の開口面Ｄまでの）周長をＬとし、前記傘縁部から前記傘延長部の先端迄の周長をｌとしたとき、ｌ／Ｌ＝１／１０以下であることを特徴とする。
【００１５】
また、本発明の好ましい形態の一つとしては、前記傘中央部あるいは前記傘中央部から傘縁部にかけて前記開放面方向に開口したポケットを周方向に複数設けたことを特徴とし、この形態おいて、前記ポケットは傘体の重心の円周位置付近に設けられていることを特徴とする。さらに、このような形態における、好ましい形態においては、前記ポケットの開口部と前記傘頂部の頂点の傘体の周長ｌ’は、傘体の傘頂部の頂点と傘縁部の端部までの傘体の周長をＬとしたとき、０．６Ｌ〜０．８５Ｌであることを特徴とする。
【００１６】
本発明による他の好ましい形態においては、前記ポケットは単数のゴアに形成される１ゴアのポケットと、２つのゴアにわたって設けられる２ゴアポケットを有し、前記１ゴアポケットと２ゴアポケットが交互に形成されていることを特徴とする。
【００１７】
また、前記ポケットは単数のゴアに形成される１ゴアのポケットで形成されていることを特徴とする。
【００１８】
さらに、本発明による好ましい形態では、前記傘縁部に空気透過率が小さな傘布、前記傘中央部に空気透過率が大きな傘布、前記傘頂部に前記傘縁部及び前記傘中央部の中間の空気透過率の傘布を使用することを特徴とする。このような好ましい形態において、さらに前記傘縁部：傘中央部：傘頂部の面積比は、５０〜７０％：１０〜４０％：１０〜３０％であることを特徴とし、さらに、前記傘頂部の空気透過率を１としたとき、傘中央部は１．４〜１．６、傘縁部は０〜０．２であることを特徴とする。
【実施例】
【００１９】
図１（ａ）は本発明の一実施例のパラシュートの側面図、図１（ｂ）は本発明のパラシュートの傘体を構成するゴアの平面図であるが、これらの図より明らかなように、本発明によるパラシュートは、ほぼ三角形状の複数の第１のゴア１ａと前記ゴア１ａの最短辺に設けられ前記三角形状部分と反対方向に傾斜する台形部分である傘延長部１４を有する第２のゴアｂを複数縫製して連結し、ほぼ半球状に形成した傘体１を有している。そしてこの傘体１の前記傘延長部１４に吊索３を接続した構造になっている。
【００２０】
前述のように構成された傘体１において、前記ゴア１ａで縫製された部分に開口１５が形成され、一方ゴア１ｂで構成された部分がスタビライザー１４１を備えた部分となる。前記スタビライザー１４１は傘延長部の一部に対応している。
【００２１】
このようなスタビライザー１４１は、傘体１の中心軸Ｃについて軸対称に複数設けられており、この実施形態においては、ゴア１ｂが４ゴア、ゴア１ａが３ゴアの割合で交互に設けられた構造になっている。そして前記開口１５にはネット１５１が設けられており、強度の向上、および降下者２の足あるいは吊下物の一部などがこの開口１５に絡まないようにしてある。前述のようにこの実施形態においては、４ゴアの１ｂおよび３ゴアの１ａを１単位として使用しているが、これに限定されるものではなく、たとえばゴア１ｂおよびゴア１ａを１ゴアづつ、２ゴアづつあるいは３ゴアづつ交互に接続しても良く、ゴア１ｂを４ゴア、ゴア１ａを２ゴアのように接続しても、前述の効果が得られるのは明らかである。したがって、このゴア１ｂおよびゴア１ａの並び方は基本的に限定されるものではなく、スタビライザー１４１が軸対称になるような配置であればいかなる並べ方でもよい。
【００２２】
前記スタビライザー１４１は傘体１の傘頂部１１の頂点から傘縁部１２の端部（最大直径の開口面Ｄまで）周長をＬとし、傘縁部１２から傘延長部１４の先端迄の周長をｌとしたとき、ｌ／Ｌ＝１／１０以下である。前記の１／１０より大きいと開傘性を損なう恐れがあるからである。
【００２３】
本発明によるパラシュートによれば、図２に示すように、パラシュートが傾いたとき、前記スタビライザー１４１はヨットのセール状となって復元力を発揮する。すなわち上方を向いたスタビライザー１４１側に開口１５より浸入した空気は湾曲した前記スタビライザー１４１の内側に当たって、傘体１に復元方向に力を負荷し、一方下方を向いたスタビライザー１４１側の外側に当たる空気は傘体１を押し上げる方向に力を負荷するため、復元力を発揮することになる。
【００２４】
図３は本発明における第２の好ましい実施例であるが、この実施例によれば、前記傘体１は、ほぼ扁平半球状の頂上部を形成する傘頂部１１と最大直径の開口面Ｄを構成する傘縁部１２およびこの傘縁部１２と傘頂部１１を接続する傘中央部１３と、さらにスタビライザー１４１を備えており、前記傘中央部１３の位置に、傘体１の周方向に複数のポケット１６を備えた構造になっている。このポケット１６は下方に開口しており（したがって傘体のスタビライザー１４１方向に開口している）、降下中に空気の抗力を受けることが可能になっている。
【００２５】
図４は、前記傘体の断面図である。図４（ｂ）に示すように、パラシュートが揺動して傾斜した場合、傾斜側のポケット１６には空気が強く浸入し、空気の抗力が強く作用することになり（矢印参照）、一方反対側のポケット１６’は空気がほとんど入らないことになって、空気の抗力の作用は小さい。このため、傘体１は前記ポケット１６の空気の抗力によって重心Ｇを回動軸として回動することになり、傘体１を垂直になるように修正する力が作用することになる。このため、傘体１の傘中央部１３あるいは傘中央部１３から傘縁部１２の周方向にポケット１６を設けることにより、あらゆる方向の揺動を抑制する力が働くことになる。このように揺動を空気の抗力によって抑制するため、このポケット１６の位置はほぼ半球状の傘体１の重心Ｇの円周位置付近であることが望ましく、このため傘中央部１３の傘縁部１２近傍の周方向に設けるのが好ましい（図４（ａ）参照）。
【００２６】
前記ポケット１６の開口部１６１と前記傘頂部１１の頂点の傘体１の周長ｌ’は、傘頂部１１の頂点と傘縁部１２の端部（最大直径部）迄の傘体１の周長をＬとしたとき、好ましくは０．６Ｌ〜０．８５Ｌであるのがよい。ｌ＝０．６Ｌ〜０．８５Ｌの範囲を逸脱すると、傘体１の重心位置Ｇより著しく外れることになり、空気の抗力の作用が小さくなって、パラシュートの揺動を良好に抑制できない恐れがある。
【００２７】
このようなポケット１６は、この実施形態においては、前記ゴア１ａおよび１ｂの１つ（１ゴア）に設けられた１ゴアポケット１６と２ゴアにわたるポケット１６（２ゴアポケット）が交互に形成された構造になっているが、これに限定されるものではなく、１ゴア毎に設けても良く、２ゴア毎に設けてもよい。前記１ゴア、前記２ゴアのポケットにおいて、ポケットを形成しないゴアを設けるようにしてもよい。すなわち、１ゴアを空けて、前記１ゴアポケットあるいは２ゴアポケットを設けてもよい。
【００２８】
本発明の一実施例において、傘体１の部分による空気透過率を調整することによって降下の安定性を向上させることができる。すなわち、傘頂部１１に空気を通常に透過する生地、傘縁部１２および傘延長部１４（スタビライザー１４１）に空気を透過しにくい生地、傘中央部１３に空気を透過しやすい生地を使用する。空気の透過率は、通常のパラシュートの空気透過率（傘頂部）を１としたとき、傘中央部は１．４〜１．６、傘縁部および傘延長部１４（スタビライザー１４１）は０〜０．２であるのが好ましい。
【００２９】
前記傘縁部１２に空気を透過しにくい生地を使用することにより、傘体１内部の圧力を増加させ、傘体１の内圧を増加させることで投影上の面積を増加させ、抗力を向上させることができる。また前記傘縁部１２および傘延長部１４（スタビライザー１４１）に上述の生地を使用することにより空気の流れが良好になり、迅速に開傘されるため、前述のスタビライザー１４１の作用を迅速に享受することができ、安定性も向上する。
【００３０】
前記傘頂部１１に空気を通常のように透過する生地を使用することにより、開傘時の衝撃の増大を抑制可能であり、かつ安定性の向上にも寄与できる。前記傘中央部１３に空気の透過率が大きな生地を使用することにより開傘時の衝撃に影響を与えることなく、抗力を低下でき、パラシュートの安定性を向上させることができる。
【００３１】
傘縁部：傘中央部：傘頂部の面積比は、５０〜７０％：１０〜４０％：１０〜３０％であるのが好ましい。これらの範囲を逸脱すると、上述のような効果を発揮できない恐れがあるからである。
【産業上の利用可能性】
【００３２】
本発明によれば、傘延長部に前記傘体の中心軸に軸対称に複数の開口を設けたため、前記パラシュートが揺動し、傾斜したとき、前記開口から浸入した空気が前記傘延長部に当り、前記傾斜を修正するような方向に抗力を負荷することになる。このため、パラシュートの揺動が抑制され、安定して降下可能になる。しかも、前記開口は開傘性を向上させる作用もあり、良好なパラシュートとなる。
【図面の簡単な説明】
【００３３】
【図１】本発明の一実施例の側面図およびゴアの平面図。
【図２】前記実施例の作用を説明する図。
【図３】本発明による第二の実施例の側面図。
【図４】前記実施例の作用を説明する図。
【図５】従来のパラシュートの側面図。
【図６】従来の他の形式のパラシュートの側面図。
【符号の説明】
【００３４】
１    傘体
１１    傘頂部
１２    傘縁部
１３    傘中央部
１４    傘延長部
１４１    スタビライザー
１５    開口
１６    ポケット
１６１    ポケット開口
２    降下者（吊下物）
３    吊索
４    スリット
【図１】
2007076446.tif 000003
【図２】
2007076446.tif 000004
【図３】
2007076446.tif 000005
【図４】
2007076446.tif 000006
【図５】
2007076446.tif 000007
【図６】
2007076446.tif 000008